(57)【特許請求の範囲】
【請求項１】
散水板に散水孔が形成されたシャワーヘッドにおいて、
前記散水板の外側面に前記散水孔の縁部から延びる溝を設け、
前記散水孔の出口には、当該散水孔の出口以外の部分の口径よりも口径が大きい大径部が形成されており、
前記溝は、前記大径部の口径より狭い幅で形成されたシャワーヘッド。
【請求項２】
散水板に散水孔が形成されたシャワーヘッドにおいて、
前記散水板の外側面に前記散水孔の縁部から延びる溝を設け、
前記散水孔として大口径のものと小口径のものとを設け、大口径の散水孔のみに前記溝を連結したシャワーヘッド。
【請求項３】
前記溝は複数の散水孔間を連結した請求項１又は２に記載のシャワーヘッド。
【請求項４】
前記溝は環状をなす請求項３に記載のシャワーヘッド。
【請求項５】
前記溝は一つの散水孔に対して複数設けた請求項１〜４のうちのいずれか一項に記載のシャワーヘッド。
【請求項６】
前記散水孔として大口径のものと小口径のものとを設け、大口径の散水孔に前記溝を連結した請求項１に記載のシャワーヘッド。
【発明の詳細な説明】
【技術分野】
【０００１】
本発明は、主として、浴室で使用されるシャワーヘッドに関するものである。
【背景技術】
【０００２】
この種のシャワーヘッドにおいては、シャワー使用が終了すると、シャワーヘッドは浴室壁面のハンガーに斜め下向きに支持される。このとき、止水状態であるにも関わらず、散水孔の内部やシャワーヘッドの内部に溜まっている湯水が長時間にわたって少しずつ垂れ落ちる。このため、例えば、栓の閉め忘れやバルブ不良による水漏れではないにも関わらず閉め忘れや水漏れであると誤認されたりすることが多い。
【０００３】
このような問題を解消するために、特許文献１〜３の技術が提案されている。
特許文献１の技術においては、シャワーヘッドの散水孔の内周面が粗面化されている。この粗面化により散水孔の内周面の表面積が拡大して、保水力が増すようになり、水の垂れ落ちが防止されるとしている。
【０００４】
特許文献２の技術においては、シャワーヘッドの内側において、散水孔を覆うようにメッシュが配置され、そのメッシュがメッシュ押さえを用いて保持されている。このメッシュ内に水膜が形成されて、水のポタ落ちが防止され、水切れが向上されるとしている。
【０００５】
特許文献３の技術においては、散水孔を有する散水板のシャワーヘッドの内側面に最下方の散水孔に連通する環状の排水溝が形成されている。そして、シャワーヘッドの内部の残水が排水溝によって最下方の散水孔に導かれ、その最下方の散水孔から外部に早く排出されるとしている。
【先行技術文献】
【特許文献】
【０００６】
【特許文献１】特開平７−２６５７４４号公報
【特許文献２】特開平９−８５１３２号号公報
【特許文献３】特開２００９−２７３７０１号公報
【発明の概要】
【発明が解決しようとする課題】
【０００７】
ところが、特許文献１の構成においては、散水孔の内周面の粗面加工がショットピーニングによるサンドブラスト処理によって行なわれるため、散水孔が多数存在することも相俟って、その粗面加工に手間がかかる。
【０００８】
特許文献２の構成においては、メッシュやメッシュ押さえが必要であるため、部品点数が増えるだけではなく、シャワー使用時には、メッシュが水流に対する抵抗になって、ビーム状の勢いのあるシャワーを得にくくなる。従って、使用感に優れたシャワーとすることが困難になる。さらに、メッシュに保持された湯水が徐々に垂れ落ちることもあり、このような場合は前記の長時間にわたる垂れ落ちの問題点を解消できない。
【０００９】
特許文献３の構成においては、残留水を最下方の散水孔に導く排水溝が設けられていても、最下方の散水孔が小径であれば、スムーズな排水は難しい。つまり、集められた残留水を最下方の散水孔から集中的に排出することになるため、その最下方の散水孔の口径を大きくしなければ、長時間の垂れ落ち状態が生じる結果となる。また、散水孔の大きさに制約があるため、快適なシャワーを得ることができないおそれがある。
【００１０】
本発明は、このような従来の技術に存在する問題点に着目してなされたものである。その目的は、簡単な構造により残留水を短時間でスムーズに排出できるシャワーヘッドを提供することにある。
【課題を解決するための手段】
【００１１】
上記の目的を達成するために、本発明においては、散水板に散水孔が形成されたシャワーヘッドにおいて、前記散水板の外側面に前記散水孔の縁部から延びる溝を設け、前記散水孔の出口には、当該散水孔の出口以外の部分の口径よりも口径が大きい大径部が形成されており、前記溝は、前記大径部の口径より狭い幅で形成されたことを特徴とする。
【００１２】
前記の構成においては、溝内の湯水によって散水孔内の残留水を引き出して、短時間でスムーズに排出させることができる。従って、シャワーヘッドの残留水が止水後に長時間にわたって垂れ落ちることを防止できる。そして、そのための構成は、溝を形成しただけであるから、部品点数が増えることはない。
【発明の効果】
【００１３】
本発明によれば、簡単な構造によって残留水をスムーズに排出できるという効果を発揮する。
【図面の簡単な説明】
【００１４】
【図１】実施形態のシャワーヘッドの斜視図。
【図２】シャワーヘッドの縦断面図。
【図３】散水板の正面図。
【図４】散水孔の部分の断面図。
【図５】溝を複数本にした変更例を示す正面図。
【図６】溝の断面形状を変更した例を示す断面図。
【図７】放射方向を向く溝を追加した変更例を示す正面図。
【図８】放射方向を向く溝を有する変更例を示す一部正面図。
【図９】ひとつの散水孔に複数の溝を形成した変更例を示す一部正面図。
【図１０】溝を深くした変更例を示す断面図。
【発明を実施するための形態】
【００１５】
以下に、本発明を具体化したシャワーヘッドの実施形態を図１〜図４に従って説明する。
図１及び図２に示すように、本実施形態のシャワーヘッド１１は、給水ホース１２の先端に連結される。そして、シャワーヘッド１１は、止水状態の不使用時に把持部１３の下部におけるジョイント３において浴室の壁面１のハンガー２に斜め下向き状態で支持される。
【００１６】
図１〜図３に示すように、シャワーヘッド１１の外殻を形成するハウジング１４のヘッド部１５の前部には散水板１６が設けられており、この散水板１６にはシャワー水を吐出するための大小の散水孔１７，１８が外周側の位置及び中心側の位置に透設されている。また、ハウジング１４の内部には、その散水板１６に対向して取り付けられた区画部材２１と、ハウジング１４の把持部１３内に配置され、水，湯または湯水混合水（以下、これらを湯水と総称する）の流路を形成するインナパイプ２２とを備えている。そして、給水ホース１２からの湯水がインナパイプ２２内を通って、散水板１６と区画部材２１との間に区画された放出室２３内に供給され、さらに前記散水孔１７，１８からシャワーとして放出される。
【００１７】
図１及び図３に示すように、外周側の散水孔１７は口径が大きく、中心側の散水孔１８は口径が小さく形成されている。なお、口径が大きい散水孔１７に対応して散水板１６の内側面にはこの大口径の散水孔１７からのシャワーが円錐状に広がるようにした手段（図示しない）が設けられており、図４に示すように、散水孔１７の出口には、シャワーの円錐状の広がりを許容するための大径部１７１が形成されている。また、小口径の散水孔１８の最大径部は大口径の散水孔１７の最小径部より小口径に形成されている。
【００１８】
図３に示すように、大口径の散水孔１７は散水板１６の外周部において環状の領域に配置されている。これらの散水孔１７どうしを連結するように、散水板１６の外周部には環状をなす１条の溝１９が形成されている。この溝１９は、散水板１６の大径部１７１の口径より狭い幅で、かつ図４に示すように、断面三角形状に形成されている。
【００１９】
次に、以上のように構成されたシャワーヘッド１１の作用を説明する。
シャワー使用に際しては、散水孔１７，１８から湯水がシャワーとして散水される。そして、シャワー終了後、シャワーが止水されて、シャワーヘッド１１が、図２に示すように、浴室の壁面１のハンガー２上に斜め下向き状態で支持される。
【００２０】
このとき、散水孔１７，１８内及び放出室２３内には湯水が残留されることが多い。そして、このときには、溝１９内の湯水が、大きな口径の散水孔１７内の残留水を引き出しながら外部に流れ落ち、あるいは溝１９に沿って急速に流れ下り、その溝１９の下端から外部に流れ落ちる。すなわち、溝１９内の上部側及び下部側の湯水は、一部が溝１９の上部側から散水孔１７内の湯水及び放出室２３内の湯水を引き出しながら溝１９外に流れ落ちる。残りの一部は、散水孔１７内の湯水及び放出室２３内の湯水を引き出しながら溝１９に沿って下側に流れ下り、溝１９の下端部から溝１９外に流れ落ちる。
【００２１】
従って、上側の散水孔１７内の残留水はもちろん、下側の散水孔１７内の残留水も、さらに放出室２３内の残留水も急速かつスムーズに外側に引き出されて外部に流れ落ちる。よって、短時間のうちに散水孔１７内及びヘッド部１５内の湯水が排出され、長時間にわたって垂れ落ちる状態を回避できる。
【００２２】
小口径の散水孔１８内の残留水は、その散水孔１８が小口径であるために、散水孔１８内に保持される。
従って、本実施形態においては、以下の効果がある。
【００２３】
（１）溝１９内の湯水によって散水孔１７内及び放出室２３内の残留水を引き出して、スムーズに排出させることができる。従って、シャワーヘッド１１内の残留水が止水後に長時間にわたって垂れ落ちることを防止できる。このため、栓の閉め忘れ等の誤認が生じることを防止できる。
【００２４】
（２）そのための構成は、散水板１６の外側面に散水孔１７の縁部から延びる溝１９を形成しただけであるから、特許文献１とは異なり、ショットピーニングのような特殊な加工は不要である。また、特許文献２とは異なり、メッシュのような部品は不要であって、部品点数が増えることはない。また、従って、製造が容易で、構成が簡単である。さらに、特許文献３とは異なり、散水孔１７からの排水をスムーズにするために、散水孔１７の口径を無闇に大きくしたりする必要はない。
【００２５】
（３）溝１９が散水孔１７間を連結するように形成されているため、１条の溝１９内の湯水が各散水孔１７内の湯水を引き出しながら溝１９の下部側に移動できるため、散水孔１７の湯水の引き出しが効果的に行なわれる。
【００２６】
本発明は前記実施形態に限定されるものではなく、以下のような態様で具体化されてもよい。
・図５に示すように、散水孔１７間の溝１９を２条にして、それらを同心状に配置すること。このようにすれば、２条の溝１９を介して残留水がさらにスムーズに排出される。なお、溝１９は、３条以上であってもよい。
【００２７】
・溝１９の幅を散水孔１７の最大径と同じにすること。あるいは最大径を越える幅にすること。
・図６に示すように、溝１９を半円形あるいは半楕円形等の断面形状にすること。つまり、溝１９をその底部にコーナが形成されない形状とすること。このようにすれば、残留水がさらにスムーズに排出される。あるいは、図示しないが、溝１９の断面形状を四角形にすること。このように、溝１９の断面形状を四角形にすれば、溝１９の断面積が大きくなって、残留水がスムーズに排出される。
【００２８】
・図７に示すように、環状の溝１９に加えて、各散水孔１７から延びる短い溝２０を形成すること。この場合、溝２０は上下方向に延びてもよいし、散水板１６の放射方向に延びてもよい。また、２点鎖線で示すように、溝２０を散水板１６の外周まで延長してもよい。このようにすれば、残留水の排出がさらにスムーズになる。溝２０の断面形状は、前記のように、三角形、四角形、半円形、半楕円形等のいずれでもよい。
【００２９】
・図８に示すように、環状の溝１９に代えて、各散水孔１７から延びる短い溝２０を形成すること。この場合、溝２０は上下方向あるいは散水板１６の放射方向に延びるようにするとよい。
【００３０】
・図９に示すように、各散水孔１７から延びる短い溝２０を複数形成すること。
・大径の散水孔１７の開口部の大径部１７１を形成しないようにすること。
・図１０に示すように、溝１９（あるいは溝２０）を散水孔１７に達する深さに形成すること。このように構成すれば、残留水が溝１９（あるいは溝２０）を介してスムーズにさらに排出される。この図１０の場合及び前記図９の場合も、溝１９、２０の断面形状は、前記のように、三角形、四角形、半円形、半楕円形等のいずれでもよい。
【符号の説明】
【００３１】
１１…シャワーヘッド、１６…散水板、１７…散水孔、１８…散水孔、１９…溝、２０…溝。
【図１】
0006556453.tif 000002
【図２】
0006556453.tif 000003
【図３】
0006556453.tif 000004
【図４】
0006556453.tif 000005
【図５】
0006556453.tif 000006
【図６】
0006556453.tif 000007
【図７】
0006556453.tif 000008
【図８】
0006556453.tif 000009
【図９】
0006556453.tif 000010
【図１０】
0006556453.tif 000011